【事件の表示】
　商願２０１８−２９８５１拒絶査定不服審判事件について、次のとおり審決する。
【結　論】
　本件審判の請求は、成り立たない。
【理　由】
第１　本願商標
　本願商標は、「３分間コーチ」の文字を標準文字で表してなり、第１６類「書籍，雑誌，ニューズレター，パンフレット，印刷物，ハンドブック，テキスト，テスト用紙，文房具類，紙類」、第４１類「コーチング，コーチングの性質を帯びた教育の提供，コーチングの性質を有する訓練の提供，トレーニングの提供およびトレーニングに関する知識の教授，インターネットを利用した知識の教授，通信教育による知識の教授，人材の育成に関する知識の教授，技芸・スポーツ又は知識の教授，セミナーの企画・運営又は開催，電子出版物の提供，オンラインによる電子出版物の提供（ダウンロードできないものに限る。），オンラインによる映像の提供（ダウンロードできないものに限る。），オンラインで提供される電子書籍及び電子定期刊行物の制作，図書及び記録の供覧，書籍の制作，教育・文化・娯楽・スポーツ用ビデオの制作（映画・放送番組・広告用のものを除く。），図書の貸与，録画済みビデオテープの貸与，学力試験・資格適性試験・性格判断試験の実施及びそれらに関する情報の提供，コミュニケーションスキルに関する資格の認定，コミュニケーションスキルに関する能力の検定及び認定，コミュニケーションスキルに関する能力検定試験の実施」、及び第４２類「機械・装置若しくは器具（これらの部品を含む。）又はこれらの機械等により構成される設備の設計，電子計算機のプログラムの設計・作成又は保守，電子計算機の貸与，電子計算機用プログラムの提供，オンラインによるアプリケーションソフトウェアの提供（ＳａａＳ），コンピュータソフトウェアの貸与」を指定商品及び指定役務として、平成３０年３月１３日に登録出願されたものである。
第２　原査定の拒絶の理由の要点
　原査定は、本願商標は、「３分間コーチ」の文字を標準文字で表してなるところ、「コーチ」は「競技の技術などを指導し訓練すること」の意味を有する語であることから、全体として「３分間指導し訓練すること」の意味合いを容易に認識させるので、本願商標をその指定商品中、例えば、第１６類「３分間指導し訓練することに関する書籍」等に使用する場合には、単に商品の品質を表示するにすぎず、本願商標をその指定役務中、例えば、第４１類「３分間指導し訓練することを内容とするコーチング，３分間指導し訓練することを内容とするコーチングの性質を帯びた教育の提供，３分間指導し訓練することを内容とするコーチングの性質を有する訓練の提供，３分間指導し訓練することに関するセミナーの企画・運営又は開催」等に使用する場合には、単に役務の質を表示するにすぎないから、本願商標は、商標法第３条第１項第３号に該当し、また、上記商品及び役務以外の商品及び役務に使用するときは、商品の品質又は役務の質の誤認を生じさせるおそれがあるから、商標法第４条第１項第１６号に該当する旨認定判断し、本願を拒絶したものである。
第３　当審における審尋
　審判長は、請求人に対し、令和２年７月１５日付け審尋において、知識を教授することに関する商品又は役務を取り扱う分野において、「時間を意味する文字『○○』」と「行為を意味する文字『□□』」とを結合した文字「○○□□」が採択、使用されていることを示す別掲のとおりの事実を通知した上で、本願商標を、その指定商品及び指定役務中、第１６類「書籍，パンフレット，印刷物，ハンドブック，テキスト，テスト用紙」、及び第４１類「コーチング，コーチングの性質を帯びた教育の提供，コーチングの性質を有する訓練の提供，トレーニングの提供およびトレーニングに関する知識の教授，インターネットを利用した知識の教授，通信教育による知識の教授，人材の育成に関する知識の教授，技芸・スポーツ又は知識の教授，セミナーの企画・運営又は開催，電子出版物の提供，オンラインによる電子出版物の提供（ダウンロードできないものに限る。），オンラインによる映像の提供（ダウンロードできないものに限る。），オンラインで提供される電子書籍及び電子定期刊行物の制作，図書及び記録の供覧，書籍の制作，教育・文化・娯楽・スポーツ用ビデオの制作（映画・放送番組・広告用のものを除く。），図書の貸与，録画済みビデオテープの貸与，学力試験・資格適性試験・性格判断試験の実施及びそれらに関する情報の提供，コミュニケーションスキルに関する資格の認定，コミュニケーションスキルに関する能力の検定及び認定，コミュニケーションスキルに関する能力検定試験の実施」に使用するときは、それに接する取引者、需要者は、その商品又は役務が「３分間という短い時間で、指導し訓練をすること」を内容とするものであるという商品の品質又は役務の質を表したものと認識、把握するにとどまり、また、その指定役務中、第４２類「電子計算機の貸与，電子計算機用プログラムの提供，オンラインによるアプリケーションソフトウェアの提供（ＳａａＳ），コンピュータソフトウェアの貸与」に使用するときは、それに接する取引者、需要者は、その役務が「３分間という短い時間で、指導し訓練をすること」についての内容に関するものであるという役務の質を表したものと認識、把握するにとどまるから、本願商標は、商品の品質又は役務の質を普通に用いられる方法で表示する標章のみからなる旨の見解を示した。
　さらに、審判長は、同審尋において、本願商標を、「３分間という短い時間で、指導し訓練をすること」を内容とする商品又は役務以外の第１６類及び第４１類の上記指定商品及び指定役務と、「３分間という短い時間で、指導し訓練をすること」についての内容に関する役務以外の第４２類の上記指定役務に使用するときは、商品の品質又は役務の質の誤認を生じさせるおそれがある旨の見解を示した。
　その上で、審判長は、相当の期間を指定して、これに対する回答を求めた。
第４　審尋に対する請求人の回答の要点
　上記第３の審尋に対し、請求人は、令和２年９月２８日付けの意見書を提出し、要旨、以下のように主張した。
１　本願商標の「３分間コーチ」の文字は、広辞苑などにも掲載されておらず、請求人の創業者により考案されたものであり、本願商標がつくり出されてから現在に至るまで、請求人以外による本願商標の使用例が見当たらないことから、本願商標は、需要者に、記述的意味合いを有さない造語であると受け止められている。
２　「３分間」でコーチングすることは、コーチングを行う時間が、通常、３０分から１時間であり、最も短くても１５分間であることから、極端に短く例外的に感じられるので、本願商標は、需要者にインパクトのある語として受け止められ、そこで、請求人は、一瞬で需要者の関心をひき、商品及び役務内容について推測を行わせ興味を持たせるという宣伝的効果をねらって、造語である「３分間コーチ」を商標として採択した。
３　本願商標からは、何を３分間コーチするのか不明であるため、記述的な語としては不適格である。
４　証拠調べの結果で提示された使用例は、本願商標とは異なるものであり、本願商標と同一の使用例は発見されていない。
５　識別力がないとして拒絶された登録出願に係る商標が、その後、第三者により出願されて登録された事案があることから、本願も、それに係る商標に本来識別力があるにもかかわらず拒絶され、その後第三者が登録することがないように、識別性について慎重に判断することが必要である。
６　登録例として、「５分ケア」（第５類）、「３分レストラン」（第２９類及び第３０類）並びに請求人の登録出願に係る「Ｔｈｒｅｅ−Ｍｉｎｕｔｅ　Ｃｏａｃｈ」及び「Ｔｈｒｅｅ−Ｍｉｎｕｔｅ　Ｃｏａｃｈｉｎｇ」がある。また、「ＷｅｂＲｉｎｇｓ」（第３８類及び第４２類）に生来的な識別力がある旨判断した判決があり、「ベストソリューションズ」（第３５類、第３６類、第３８類、第３９類及び第４１類）及び「ＢＥＳＴ　ＰＬＡＮ」に生来的な識別力がある旨判断した審決がある。
７　本願商標は、記述的な語ではなく、商標法第４条第１項第１６号に該当しない。
第５　当審の判断
１　商標法第３条第１項第３号該当性
（１）本願商標は、「３分間コーチ」の文字を標準文字で表してなるところ、該文字は、辞書類に載録されていないものの、そのうち「３分間」の文字は「３分という時間」を意味する語であることが明らかであり、また、「コーチ」の文字は「競技の技術などを指導し訓練すること。また、それをする人。コーチャー。」（広辞苑第六版（株式会社岩波書店発行））を意味する語であって、これらいずれの語も、広く一般に親しまれている。よって、本願商標に接した取引者、需要者は、本願商標を、「３分間」の文字と「コーチ」の文字が結合した語であるとして認識、把握するというのが相当である。
　そして、「３分間」の文字と「コーチ」の文字の上記の意味合いからすると、「３分間コーチ」の文字は、全体として、「３分間で、指導し訓練をすること」の意味合いを容易に認識、把握させるものであり、また、別掲のとおり、知識を教授することに関する商品又は役務を取り扱う分野において、「時間を意味する文字『○○』」と「行為を意味する文字『□□』」とを結合した文字「○○□□」の使用例が多数存在し、これらの使用例においては、「○○□□」の文字が、「○○という短い時間で、□□（を）すること」という意味合いで使用されていることが認められる。
（２）そうすると、本願商標を、その指定商品及び指定役務中、第１６類「書籍，パンフレット，印刷物，ハンドブック，テキスト，テスト用紙」、及び第４１類「コーチング，コーチングの性質を帯びた教育の提供，コーチングの性質を有する訓練の提供，トレーニングの提供およびトレーニングに関する知識の教授，インターネットを利用した知識の教授，通信教育による知識の教授，人材の育成に関する知識の教授，技芸・スポーツ又は知識の教授，セミナーの企画・運営又は開催，電子出版物の提供，オンラインによる電子出版物の提供（ダウンロードできないものに限る。），オンラインによる映像の提供（ダウンロードできないものに限る。），オンラインで提供される電子書籍及び電子定期刊行物の制作，図書及び記録の供覧，書籍の制作，教育・文化・娯楽・スポーツ用ビデオの制作（映画・放送番組・広告用のものを除く。），図書の貸与，録画済みビデオテープの貸与，学力試験・資格適性試験・性格判断試験の実施及びそれらに関する情報の提供，コミュニケーションスキルに関する資格の認定，コミュニケーションスキルに関する能力の検定及び認定，コミュニケーションスキルに関する能力検定試験の実施」に使用するときは、それに接する取引者、需要者は、その商品又は役務が「３分間という短い時間で、指導し訓練をすること」を内容とするものであるという商品の品質又は役務の質を表したものと認識、把握するにとどまるというのが相当である。
（３）また、知識の教授を行う際に、コンピュータソフトウェア等を用いて役務の提供を行うことも通常なされている（別掲の（２）キ及びクも参照。）実情からすれば、本願商標を、その指定役務中、第４２類「電子計算機の貸与，電子計算機用プログラムの提供，オンラインによるアプリケーションソフトウェアの提供（ＳａａＳ），コンピュータソフトウェアの貸与」に使用するときは、それに接する取引者、需要者は、その役務が「３分間という短い時間で、指導し訓練をすること」についての内容に関するものであるという役務の質を表したものと認識、把握するにとどまるというのが相当である。
（４）本願商標は「３分間コーチ」の文字を標準文字で表してなるから、普通に用いられる方法で表示するものである。
（５）よって、本願商標は、商品の品質又は役務の質を普通に用いられる方法で表示する標章のみからなるものであるから、商標法第３条第１項第３号に該当する。
２　商標法第４条第１項第１６号該当性
　上記１の認定判断によれば、本願商標を、「３分間という短い時間で、指導し訓練をすること」を内容とする商品又は役務以外の上記１（２）で挙げた指定商品及び指定役務と、「３分間という短い時間で、指導し訓練をすること」についての内容に関する役務以外の上記１（３）で挙げた指定役務に使用するときは、商品の品質又は役務の質の誤認を生じさせるおそれがあるというのが相当である。
　よって、本願商標は、商標法第４条第１項第１６号に該当する。
３　請求人の主張について
（１）請求人は、本願商標が、需要者に、記述的意味合いを有さない造語であると受け止められている旨主張し、その根拠として、「３分間コーチ」の文字は、広辞苑などにも掲載されておらず、請求人の創業者により考案されたものであり、本願商標がつくり出されてから現在に至るまで、請求人以外による本願商標の使用例が見当たらないとの事情を挙げる。
　しかしながら、請求人が上記根拠として挙げる各事情が認められるとしても、そのことをもって、直ちに、本願商標が、取引者、需要者に記述的意味合いを有さないものと受け止められているということにはならないし、また、上記１の認定判断を左右するものでもない。
（２）請求人は、「３分間」は、コーチングする時間として極端に短い時間であることから、本願商標は、需要者にインパクトのある語として受け止められる旨主張する。
　しかしながら、「コーチング」をする時間について、別掲の（１）ア及びイ並びに同（２）アないしエのように、「１分間」、「３分間」、「５分間」及び「１０分間」といった例があることから、「３分間」という時間が格別短いとはいえず、請求人の主張は、その前提が失当である。また、上記１（２）で説示したように、知識を教授することに関する商品又は役務を取り扱う分野において、「○○という短い時間で、□□（を）すること」という意味合いで「○○□□」の文字が多数使用されている実情があることからみて、仮に「３分間」がコーチングする時間として極端に短い時間であるとしても、そのことをもって、上記１の認定判断が左右されることはない。
（３）請求人は、何を３分間コーチするのか不明であるため、記述的な語としては不適格である旨主張する。
　しかしながら、本願商標「３分間コーチ」は、その対象とする記載がないとしても、その内容が容易に理解できる役務、例えば「コーチング，コーチングの性質を帯びた教育の提供，コーチングの性質を有する訓練の提供，トレーニングの提供およびトレーニングに関する知識の教授，インターネットを利用した知識の教授，通信教育による知識の教授，人材の育成に関する知識の教授，技芸・スポーツ又は知識の教授，セミナーの企画・運営又は開催，電子出版物の提供」との関係においては、これに接する需要者、取引者をして、「３分間という短い時間で、指導し訓練をすること」を内容とするものであるという商品の品質又は役務の質を表したものと一般に認識されるというほかないから、本願商標に何を３分間コーチするのかが記載されていないことをもって、上記１の認定判断が左右されるとはいえない。
（４）請求人は、証拠調べの結果で提示された使用例が本願商標と異なるものであり、本願商標と同一の使用例は発見されていない旨主張する。
　しかしながら、知識を教授することに関する商品又は役務を取り扱う分野において、「時間を意味する文字『○○』」と「行為を意味する文字『□□』」とを結合した文字「○○□□」の使用例が多数存在し、これらの使用例においては、「○○□□」の文字が、「○○という短い時間で、□□（を）すること」という意味合いで使用されていることからすれば、証拠調べで提示された使用例が本願商標と必ずしも同一でないとしても、上記意味合いは容易に理解できるものであるから、上記１（１）の認定が左右されるとはいえない。
（５）請求人は、過去の判決例を挙げ、本願商標については、本来識別力があるにもかかわらず拒絶され、その後第三者が登録することがないように、識別性について慎重に判断することが必要である旨主張するが、本願商標が商品の品質、役務の質を普通に用いられる方法で表示する標章のみからなるものであることは、上記１で認定判断したとおりであり、これに反する証左もないことから、請求人の上記主張は採用できない。
（６）請求人は、過去の登録例、審決例及び判決例を挙げて本願商標に識別力がある旨主張するが、これらの登録例は、本願商標とは、構成文字や構成態様が異なるものであって、かつ、具体的事案の判断においては、過去の登録例等に拘束されることなく、当該商標登録出願の査定時又は審決時において、当該商標の構成態様と取引の実情に応じて個別的に判断されるべきであるから、これらの事例の存在によって、上記１の認定判断が左右されるものではない。
（７）請求人は、本願商標は、記述的な語ではなく、生来的に識別力を有するから、商標法第４条第１項第１６号に該当しない旨主張するが、上記１で認定判断したとおり、その前提が失当である。
（８）よって、請求人の主張は、いずれも採用できない。
４　まとめ
　以上のとおり、本願商標は、商標法第３条第１項第３号及び第４項第１項第１６号に該当するものであるから、これを登録することはできない。
　よって、結論のとおり審決する。
別掲　知識を教授することに関する商品又は役務を取り扱う分野において、「時間を意味する文字『○○』」と「行為を意味する文字『□□』」とを結合した文字「○○□□」の使用例（下線は当審が付した。）。
（１）書籍又は電子書籍に関する使用例
　ア　「３分間コーチング」
　「ａｍａｚｏｎ．ｃｏ．ｊｐ」のウェブサイトにおいて、「
３分間コーチング
コーチングの主眼はずばりコミュニケーションによって相手の心を開き、その人の隠れたパワーと価値を見出すことにある。本書はその基本的なスキルを「いつでも、どこでも、誰とでも」活用できるよう、やさしく解説した。３分間という短い時間のなかで、いかに相手と心の通ったコミュニケーションを交わすか、具体的な会話例で示している。
（https://www.amazon.co.jp/（商品名から検索可能。以下、同じ。）
　イ　「１分間コーチング」
　「Ｇｏｏｇｌｅ　ブックス」のウェブサイトにおいて、「ドラッカーさんに教わったＩＴ技術者のための５０の考える力」という題名の書籍中、３０４頁に、「コーチングは、落ち着いて話ができる場所で、３０分〜１時間くらいかけてじっくり話をする必要があります。（中略）しかし、実際の仕事の中では、このような時間をしっかりとるのは容易ではありません。そのため、日々の活動の中でコーチングの考え方を使うには、より簡便な方法を使うこともあります。」との記載があり、３０５頁の「
１分間コーチング
普段の何気ないコミュニケーションの中で何かを行うには、あまり長い時間を掛けられません。そのため、目的を絞って、短時間でできることを行いましょう。目安は１分です。一つの質問とその返答を通して、何かを考えてもらうタイミングを作ります。私はこれを１分間コーチングと呼んでいます。
（https://books.google.co.jp/）
　ウ　「１分間セルフコーチング」
　「ａｍａｚｏｎ．ｃｏ．ｊｐ」のウェブサイトにおいて、「図解　
１分間セルフコーチング
なりたい自分に自分を導く１分間セルフコーチング。日常生活の中で身につき、ここ一番の場面で本来の実力が発揮できる方法を３５通り紹介。
１分間の習慣で、なりたい自分に変わります。
１分間セルフコーチング
１分間セルフコーチングということですが、１分間なら、飽きっぽい私でもできそうです。
（https://www.amazon.co.jp/）
　エ　「３分間ミーティング」
　「ａｍａｚｏｎ．ｃｏ．ｊｐ」のウェブサイトにおいて、「部下がみるみるヤル気を出す！　
３分間ミーティング
たった３分間で
３分間ミーティング
いいものは、すべての業界で取り入れるべきです。しかも、ムダな会議が多くて、生産性が上がらないと嘆いているリーダーのみなさま、ぜひ、ご活用ください。
３分間ミーティング』は小さな大会議
３分間ミーティング
わずか１８０秒間でいいのです！　部署のみんなが一同に介して、お互いの顔を見ながら連絡事項や今日の目標を確認し合いましょう
（https://www.amazon.co.jp/）
　オ　「３分間育児」
　「ａｍａｚｏｎ．ｃｏ．ｊｐ」のウェブサイトにおいて、「忙しいビジネスマンのための
３分間育児
本書が提案するのが『３分間育児』
３分でもいいから育児してみよう
３分でもできることはある
３分でも
３分間で十分な育児ができるはずもありません
たとえ３分間でも、子どもに大きな影響を与えることはできます
１日３分間であっても、子どものことや家族のことに意識を向ける時間がある
（https://www.amazon.co.jp/）
　カ　「５分間スケッチ」
　「ａｍａｚｏｎ．ｃｏ．ｊｐ」のウェブサイトにおいて、「
５分間スケッチ
５分なら、描ける、続けられる！
スケッチを短時間で描くためのヒントが詰まった
短時間で描ける
誰でも、５分あればスケッチは描けます
スケッチしたい人にも役立つヒントが、見開き２ページで１つずつ紹介
空間をわずか５分で切り取り、描く
（https://www.amazon.co.jp/）
　キ　「１０秒トレーニング」
　「ａｍａｚｏｎ．ｃｏ．ｊｐ」のウェブサイトにおいて、「目がよくなる
１０秒トレーニング
１０秒のトレーニング
いくらなんでも１０秒じゃ無理だろう
１０秒という短い時間、自分のペースでトレーニングをする
これまでほかの視力回復法でうまくいかなかったという人も、ぜひ新たな気持ちでトライしてみてください
（https://www.amazon.co.jp/）
　ク　「７秒ストレッチ」
　「ａｍａｚｏｎ．ｃｏ．ｊｐ」のウェブサイトにおいて、「疲れた体がよみがえる　リセット
７秒ストレッチ
驚くほどかんたんで、伸ばす時間もたった７秒でＯＫ
健康を手に入れる最短メソッド
（https://www.amazon.co.jp/）
　ケ　「１５秒ストレッチ」
　「ａｍａｚｏｎ．ｃｏ．ｊｐ」のウェブサイトにおいて、「あなたに効く
１５秒ストレッチ
『自分のための』効果的なストレッチを見つけて、毎日１５秒。
ストレッチする時間は、最短で１５秒。自分にとって効果のないストレッチに時間を割くのは、もう止めましょう。『あなたのための』『自分のための』必要なストレッチを知り、１５秒。
（https://www.amazon.co.jp /）
　コ　「３０秒ストレッチ」
　「ａｍａｚｏｎ．ｃｏ．ｊｐ」のウェブサイトにおいて、「ヤセたいところがミルミルやせる！
３０秒ストレッチ
本書は、部分ごとにシェイプアップするためのストレッチを解説する
１動作３０秒のストレッチを続けるだけで、どんどんスリムになれる！朝、昼、晩、日常すぐできるストレッチをイラストでわかりやすく紹介する。
（https://www.amazon.co.jp/）
（２）書籍又は電子書籍以外の使用例
　ア　「５分間コーチング」
　「クリーン・ランゲージ・ジャパン」のウェブサイトにおいて、「
たった５分で相手の本当の望みを引き出す
最短５分で、『相手が本当に望んでいること』を無理なく引き出せる
５分間コーチング
　『コーチング』という名前は付いているものの、組織におけるコミュニケーションの中で、『傾聴して相手が自分で気づくことを促す』という役割に幅広く役立つ手法を習得できるものとして提供させて頂く予定。この技法は、
相手の言っていることをそのまま反復したあと、予め決まった『クリーンな問い』のフォーマットに沿って質問する
　そしてこのフォーマットに沿っていけば、
非常に短時間で、『本当に望んでいること』が明らかになり
（https://www.cleanlanguagejapan.com/pro-model）
　イ　「５分間コーチング」
　「Ａｍｅｂａ」のウェブサイトにおいて、「働く女性専門〜職場で部下・同僚・後輩とストレスフリーな協力体制を作る人間関係サポート」の見出しの下、「
５分間コーチング
私は短い時間で場所は立ち話でもコーチングは可能であると思い、この５分コーチングを作りました。」
コーチングは時間と話せる場所を確保して行われる
コーチング講座
（https://ameblo.jp/proverbs/entry-12566488203.html?frm=theme）
　ウ　「１分間コーチング」
　「株式会社人財ラボ」のウェブサイトにおいて、「
１分間コーチング
１分間コーチング』は、１分間で完了するので、日々のちょっとした会話に、織り交ぜることができます。
『１分間コーチング』がスムーズにできる
当日は、２つのスキル『よく聴く』『質問する』にしぼり、実技（練習）を行い、すぐに実践できるエッセンスを学びました。
講師
村上　亜紀（中略）現在、人財ラボで、営業とコーチングに関する業務を行う。
（https://jinzai-lab.co.jp/archives/1059/）
　エ　「１０分間コーチング」
　「株式会社ＳＰＲＩＮＧ　ＦＩＥＬＤ」のウェブサイトにおいて、「
１０分間コーチング
日常業務の中で短時間で実践できるコーチングを習得する
（http://spring-field.co.jp/spFiles/coaching.html）
　オ　「１分間バレエ」
　「Ｃｈａｃｏｔｔ」のウェブサイトにおいて、「みんなでおどろう！おうちでレッスン　『
１分間バレエ』
手軽に１分間でできるバレエ
１分間の踊り
指先やつま先を意識して優雅にしなやかに踊ってみましょう。１分間バレエ〜　フルバージョン　〜の細やかな動きを解説しております。
（https://www.chacott-jp.com/news/useful/ballet/detail006136.html）
　カ　「７秒間エクササイズ」
　「第一生命経済研究所」のウェブサイトにおいて、「
各種セミナー紹介
７秒間エクササイズ
体への負担が少ない７秒間でできる簡単筋トレ『アイソメトリクス』を体験していただきます
（http://group.dai-ichi-life.co.jp/dlri/seminar/well_life/seminar07.html）
　キ　「７分間エクササイズ」
　「Ａｐｐｌｉｖ」のウェブサイトにおいて、「
７分間エクササイズ
１時間以上の運動量に匹敵するたった７分間のワークアウト法を伝授
美しい動画で、正しい動き方をしっかりマスター出来る
このエクササイズはたった７分間
アプリバージョン
（https://android.app-liv.jp/001641807/）
　ク　「５分間エクササイズ」
　「Ｇｏｏｇｌｅ　Ｐｌａｙ」のウェブサイトにおいて、「家で
５分間エクササイズ
５分間で家で出来るエクササイズを試してください
エクササイズが必ず５分間以上かからないように
素早くできます
あなたが望む身体への簡単な方法：５分間のエクササイズを今すぐダウンロード！
（https://play.google.com/store/apps/details?id=uk.co.olsonapps.fiveminutehomeworkoutshl=ja）
　ケ　「５分間ワークアウト」
　「ＬＥＥ」のウェブサイトにおいて、「小顔のための
５分間ワークアウト
スキンケアのついでに５分でできる「基本の小顔ワークアウト」
（https://lee.hpplus.jp/column/1303544/）
　コ　「５分間体操」
　「グローバルシステムズ株式会社」のウェブサイトにおいて、「法人向け出張介護予防運動」の下、「介護予防運動のプログラムの作成やイベント／レクリエーションの企画運営でのスタッフの負担を軽減したい。スタッフが介護に専念できる環境を整えるお手伝いをいたします。」との記載があり、さらに、「介護予防運動（高齢者施設向け）とは」の項に、「【朝の
５分間体操
朝食後などのチョットした時間にできるミニプログラムの配信サービス
（http://g-sys.co.jp/法人向け出張介護予防運動/）